(57)【要約】【課題】任意のレピータを指定してその範囲の無線通信装置を呼び出すことができる無線通信装置、レピータ及び無線通信システムを提供する。【解決手段】ネットワークで接続された複数のレピータと、該レピータを経由して通信を行う無線通信装置を含む無線通信システムであって、前記無線通信装置は、無線通信装置の呼び出しを起動する呼び出し起動信号に、無線通信装置を呼び出すために指定されたレピータの識別符号を設定するレピータ指定手段と、前記レピータ指定手段で指定したレピータに、そのレピータを識別する符号を含む呼び出し起動信号を送信する呼び出し指令手段と、を備え、前記レピータは、そのレピータを識別する符号を含む無線通信装置呼び出し起動信号を受信した場合に、無線通信装置の呼び出しを行う一斉呼び出し手段、を備える。【選択図】図５
2007295135.tif 000002
【特許請求の範囲】
【請求項１】
レピータを経由して他の無線通信装置と通信を行う無線通信装置であって、
無線通信装置の呼び出しを起動する呼び出し起動信号に、無線通信装置を呼び出すために指定されたレピータの識別符号を設定するレピータ指定手段と、
前記レピータ指定手段で指定したレピータに、そのレピータを識別する符号を含む前記呼び出し起動信号を送信する呼び出し指令手段と、
を備えることを特徴とする無線通信装置。
【請求項２】
前記レピータ指定手段は、予め定められた複数のレピータを含むレピータのグループを指定するレピータグループ指定手段を備える、ことを特徴とする請求項１に記載の無線通信装置。
【請求項３】
２以上の無線通信装置の間の通信を中継するレピータであって、
そのレピータを識別する符号を含む無線通信装置呼び出し起動信号を受信した場合に、無線通信装置の呼び出しを行う一斉呼び出し手段、
を備えることを特徴とするレピータ。
【請求項４】
前記レピータを識別する符号は、そのレピータを含むレピータのグループの識別符号であることを特徴とする請求項３に記載のレピータ。
【請求項５】
ネットワークで接続された複数のレピータと、該レピータを経由して通信を行う無線通信装置を含む無線通信システムであって、
前記無線通信装置は、
無線通信装置の呼び出しを起動する呼び出し起動信号に、無線通信装置を呼び出すために指定されたレピータの識別符号を設定するレピータ指定手段と、
前記レピータ指定手段で指定したレピータに、そのレピータを識別する符号を含む呼び出し起動信号を送信する呼び出し指令手段と、
を備え、
前記レピータは、
そのレピータを識別する符号を含む無線通信装置呼び出し起動信号を受信した場合に、無線通信装置の呼び出しを行う一斉呼び出し手段、
を備える、
ことを特徴とする無線通信システム。
【請求項６】
前記レピータを識別する符号は、そのレピータを含むレピータのグループの識別符号であることを特徴とする請求項５に記載の無線通信システム。
【発明の詳細な説明】
【技術分野】
【０００１】
本発明は、無線通信装置、レピータ及び無線通信システムに関する。より詳しくは、レピータを介して無線通信装置どうしが通信を行う無線通信の呼び出し手順に関する。
【背景技術】
【０００２】
無線通信には、いわゆるレピータを経由して無線通信装置どうしの通信を行う方法がある。無線通信装置からレピータへの送信のアップリンクと、レピータから無線通信装置への送信のダウンリンクとの周波数又はタイムスロットを変えて、同時に通信することにより、無線通信装置どうしで通信を行う。
【０００３】
レピータを経由して通信を行う無線通信装置は、他の無線通信装置を呼び出すときに、レピータに対して呼び出し起動信号を送信する。呼び出し起動信号に任意の無線通信装置を指定して呼び出す個別呼び出し、複数の無線通信装置のグループを指定して呼び出すグループ呼び出し、及び無線通信システム内の全ての無線通信装置を呼び出す一斉呼び出しを行うことができる。
【０００４】
複数のレピータをネットワークで接続して１つの無線通信システムとし、複数のレピータのカバーエリアから無線通信システムの通信エリアを構成することができる。例えば、特許文献１には、主制御装置と有線で接続され分散配置された複数の固定無線局とそのサービスエリア内の移動無線局とによって構成される小電力無線電話システムにおいて、回線制御を行なう主制御装置と任意の移動無線局との回線接続時間を短縮する技術が記載されている。
【０００５】
特許文献１の技術は、分散配置された複数の固定無線局を互いにゾーンが重ならないようにグループ分けし、グループ番号に対応する無線チャネルを設定する。主制御装置から移動無線局に対して回線を接続するときは、グループ単位でグループ番号に対応する無線チャネルによって発呼を行い、移動無線局から主制御装置に対して回線接続を要求するときは、無線チャネルを指定して全固定局に対して一斉発呼を行い、いずれの場合も、無応答またはタイムアウトのとき順次グループ単位で発呼を行なうようにする。
【０００６】
また、特許文献２は、任意の一箇所から他の複数箇所に対し一斉に通話が送られ、同時に通話を受けられる一斉同時通話無線システムの技術が記載されている。特許文献２の技術は、送電線工事に際して鉄塔及び地上部等に分散配置される複数の現場の間で音声を通話するシステムにおいて、各現場に携帯用無線機を配置し、各携帯用無線機がそれぞれ異なる送信周波数で送信し、各携帯用無線機が自機の送信周波数以外の全送信周波数を受信する。
【特許文献１】特開平７−１７０５５８号公報
【特許文献２】特開平８−１１６３０５号公報
【発明の開示】
【発明が解決しようとする課題】
【０００７】
無線通信システムでは、無線通信装置を指定して通信を行う以外に、ある通信エリア内の無線通信装置すべてに対して通信を行いたい場合がある。例えば、災害時の緊急通報や、指揮命令系統に用いる場合の通信などである。
【０００８】
しかし上述のとおり、いわゆるレピータを経由して無線通信装置どうしの通信を行う無線通信システムでは、任意の無線通信装置に対しての個別呼び出し、グループ呼び出し、一斉呼び出しは行えるが、レピータ（通話エリア）を指定してその範囲の無線通信装置を呼び出すことができない。
【０００９】
本発明は、任意のレピータを指定してその範囲の無線通信装置を呼び出すことができる無線通信装置、レピータ及び無線通信システムを提供することを目的とする。
【課題を解決するための手段】
【００１０】
上記目的を達成するため、本発明の第１の観点に係る無線通信装置は、
レピータを経由して他の無線通信装置と通信を行う無線通信装置であって、
無線通信装置の呼び出しを起動する呼び出し起動信号に、無線通信装置を呼び出すために指定されたレピータの識別符号を設定するレピータ指定手段と、
前記レピータ指定手段で指定したレピータに、そのレピータを識別する符号を含む前記呼び出し起動信号を送信する呼び出し指令手段と、
を備えることを特徴とする。
【００１１】
さらに、前記レピータ指定手段は、予め定められた複数のレピータを含むレピータのグループを指定するレピータグループ指定手段を備える、ことを特徴とする。
【００１２】
本発明の第２の観点に係るレピータは、
２以上の無線通信装置の間の通信を中継するレピータであって、
そのレピータを識別する符号を含む無線通信装置呼び出し起動信号を受信した場合に、無線通信装置の呼び出しを行う一斉呼び出し手段、
を備えることを特徴とする。
【００１３】
また、前記レピータを識別する符号は、そのレピータを含むレピータのグループの識別符号であってもよい。
【００１４】
本発明の第３の観点に係る無線通信システムは、
ネットワークで接続された複数のレピータと、該レピータを経由して通信を行う無線通信装置を含む無線通信システムであって、
前記無線通信装置は、
無線通信装置の呼び出しを起動する呼び出し起動信号に、無線通信装置を呼び出すために指定されたレピータの識別符号を設定するレピータ指定手段と、
前記レピータ指定手段で指定したレピータに、そのレピータを識別する符号を含む呼び出し起動信号を送信する呼び出し指令手段と、
を備え、
前記レピータは、
そのレピータを識別する符号を含む無線通信装置呼び出し起動信号を受信した場合に、無線通信装置の呼び出しを行う一斉呼び出し手段、
を備える、
ことを特徴とする。
【００１５】
さらに、前記レピータを識別する符号は、そのレピータを含むレピータのグループの識別符号であることを特徴とする。
【発明の効果】
【００１６】
本発明の無線通信装置によれば、任意のレピータを指定してその範囲の無線通信装置を呼び出すことができる。例えば、ビルの各階にレピータが設置されている場合、階ごとに呼び出しを行うことができる。
【発明を実施するための最良の形態】
【００１７】
本発明に係る無線通信装置及び無線通信システムの一実施の形態について、図を参照して説明する。図１は、本発明の一実施の形態に係る無線通信システムの構成例を示す。
【００１８】
例えば無線通信システム３０は、図１に示すように、ネットワークＮに接続されている複数のレピータ２Ａ、２Ｂ、２Ｃ、２Ｄを備える。無線通信システム３０には、複数の無線通信装置１Ａ、１Ｂ、１Ｃ、１Ｄ、１Ｅ、１Ｆがある。また、ネットワークＮにサーバＳが接続している。
【００１９】
ネットワークＮは、例えば、ＬＡＮ（Local Area Network）である。ネットワークＮは、その他、回線交換網、パケット交換網、インターネット、専用線網であってもよい。また、ネットワークＮは有線に限らず、例えば無線ＬＡＮなどの無線通信網でもよい。
【００２０】
無線通信システム３０では、無線通信装置１どうしの通信はレピータ２を介して行われる。例えば、図１の無線通信装置１Ａと１Ｂは、レピータ２Ａを介して通信を行う。また、無線通信システム３０では、異なるレピータ２の通信範囲（レピータエリア）に属する無線通信装置１どうしの通信は、ネットワークＮを経由して行われる。例えば、無線通信装置１Ａと１Ｄは、レピータ２Ａ、ネットワークＮ及びレピータ２Ｃを経由して通信を行う。
【００２１】
無線通信装置（以下、子機と略称する）１Ａ〜１Ｆは、レピータ２Ａ〜２Ｄと無線で通信する。子機１Ａ〜１Ｆからレピータ２Ａ〜２Ｄへの通信をアップリンク、レピータ２から子機１への送信をダウンリンクという。アップリンクとダウンリンクは、例えば、異なる周波数で同時に送信される。アップリンクとダウンリンクは、時間分割で２重に送信されてもよい。
【００２２】
１つのレピータ２において、アップリンクとダウンリンクを１組として同時に通信できるチャネル数は１又は２以上である。同時通信チャネル数は、レピータ２の構成による。なお、子機１Ａ〜１Ｆは、図１では移動局のように記載されているが、固定局の場合を含む。レピータ２の同時通信チャネルが１組の場合は、子機１の通信は半二重通信である。レピータ２の同時通信チャネルが２組以上で、子機１が同時に送受信できれば、全二重通信を行う構成も可能である。
【００２３】
無線通信システム３０において、従来の方法では通信は次のように行われる。通信の開始において、例えば、子機１Ａから子機１Ｅを呼び出す場合、子機１Ａは、子機１Ｅを着ＩＤとする呼び出し起動信号を送信する。呼び出し起動信号を受信したレピータ２Ａは、呼び出し信号を無線で送信すると同時に、ネットワークＮを経由して他のレピータ２Ｂ〜２Ｄに呼び出し起動信号を送信する。その場合、ネットワークＮに呼び出し起動信号をブロードキャストしてもよいし、レピータ２Ｂ〜２Ｄのそれぞれに呼び出し起動信号を送信してもよい。
【００２４】
レピータ２Ｂ〜２Ｄそれぞれに呼び出し起動信号を送信する場合は、レピータ２Ｂ〜２ＤのネットワークアドレスをサーバＳに問い合わせる。 レピータ２のネットワークＮにおけるアドレスは、図１の例ではサーバＳで与えられる。サーバＳは、例えば、ＤＮＳ（Domain Name System）サーバ又はＤＨＣＰ（Dynamic Host Configuration Protocol）サーバである。
【００２５】
呼び出し起動信号を受信したレピータ２は、呼び出し信号を無線で送信する。そのレピータエリアの呼び出し信号を受信した子機１は、その呼び出し信号に着ＩＤとしてその子機１の識別符号があれば、応答を返して通信を開始する。
【００２６】
呼び出し起動信号が複数の子機１に対する呼び出しである場合は、呼び出し信号は子機グループの識別符号（ＩＤ）を含む。全ての子機１を呼び出す場合は、呼び出し信号は一斉呼び出しを示す識別符号を含む。その場合、呼び出しグループに属する子機１は、呼び出し起動信号を送信した子機１からの受信を開始する。
【００２７】
従来の無線通信システムは、上述のとおり任意の無線通信装置１に対しての個別呼び出し、グループ呼び出し、一斉呼び出しを行う。本発明の無線通信システム３０はさらに、子機１Ａ等から、呼び出しを起動するレピータ２を指定して呼び出し起動信号を送信する。すなわち、相手子機１を呼び出すレピータ２を指定して、そのレピータエリアにいる子機１の全てに対して呼び出しを行うことができる。
【００２８】
なお、サーバＳに無線通信装置１が滞在しているレピータエリアを登録しておくこともできる。その場合は、無線通信装置１Ａから呼び出し起動信号を受信したレピータ２Ａは、まず、サーバＳに対して、子機１Ｅの登録されているレピータエリアを問い合わせる。そして、子機１Ｅが滞在していると登録されているレピータ２Ｃに対して呼び出し起動信号を送信する。
【００２９】
図２は、本発明の一実施の形態に係る無線通信装置１の構成を示すブロック図である。図２に示す無線送信装置１は、送信機として機能する場合、無線通信装置１を使用するユーザの通話音に基づく音声信号、又はデータ通信用のデータ信号をレピータ２の受信機に向かって送信する。一方、無線通信装置１は、受信機として機能する場合、レピータ２を経由して無線通信装置１に送信された通話音に基づく音声信号、又はデータ通信用のデータ信号を受信する。
【００３０】
無線通信装置１は、図２に示すように送信機能を実現するために、アンテナ１０と、送受信切換部１１と、送信部１２と、ベースバンド処理部１３と、増幅及びＡ／Ｄ変換器（以下、Ａ／Ｄ変換部という）１４と、マイク１５とを備えている。無線通信装置１はまた、受信機能を実現するために、受信部１６と、ベースバンド処理部１７と、Ｄ／Ａ変換及び増幅器（以下、Ｄ／Ａ変換部という）１８と、スピーカ１９とを備えている。
【００３１】
無線通信装置１はさらに、各部の制御を行うコントローラ２０、受信時間を計測する計時部２５、通信モードなどを表示する表示部２６、及び通信モードなどの設定を入力する操作部２７を備える。
【００３２】
コントローラ２０は、無線通信装置１の動作の制御を行う。コントローラ２０は例えば、ＣＰＵ（中央処理装置）２１、Ｉ／Ｏ（入出力装置）２２、ＲＯＭ（読み出し専用メモリ）２４、ＲＡＭ（読み書き可能メモリ）２３、及びそれらを接続する内部バス（図示せず）を備えて構成される。
【００３３】
コントローラ２０には受信モードの切換タイミングを計るための計時部２５、表示部２６、操作部２７がＩ／Ｏ２２を介して接続されている。図２の複雑化を避け、理解を容易にするために、コントローラ２０から各部への信号線が省略されているが、コントローラ２０は送受信切換部１１、送信部１２、ベースバンド処理部１３、１７、Ａ／Ｄ変換部１４、受信部１６、Ｄ／Ａ変換部１８にＩ／Ｏ２２を介して接続しており、それらの処理の開始、終了、処理内容の制御を行う。
【００３４】
コントローラ２０が無線通信装置１の動作を制御するための制御プログラムは、ＲＯＭ２４に格納されている。そして、無線通信装置１が送信機として用いられる場合、コントローラ２０は、無線通信装置１が送信機として機能するよう制御する。また、ベースバンド処理部１３がデータ通信用のデータを送信部１２に出力する動作は、コントローラ２０の制御の下に行われる。
【００３５】
コントローラ２０のＲＡＭ２３には、無線通信装置１が送信する通信フレームを生成するためのデータが記憶される。例えば、ＲＡＭ２３は、通信フレームのヘッダ部を構成するためのデータである、プリアンブル、同期ワード（Sync Word：以下、ＳＷという）、無線情報チャネル（Radio Information CHannel：以下、ＲＩという）、低速付随制御チャネル（Slow Associated Control CHannel：以下、ＳＡＣＣＨという）、及び相手局側識別情報などを含むパラメータ情報（Parameter Information CHannel：以下、ＰＩＣＨという）などを記憶する。
【００３６】
また、コントローラ２０には、例えばＵＳＢ（Universal Serial Bus（ユニバーサルシリアルバス））インターフェースが接続されており、ＵＳＢインターフェースに接続される外部機器のデータがコントローラ２０に入力される。ＵＳＢインターフェースに外部機器としてパソコンを接続し、このパソコンにより無線通信装置１を制御することもできる。
【００３７】
計時部２５は、例えば、クロックパルスによってカウンタ値を減算し、カウンタの値が０になったときに割り込み出力を発生する、減算カウンタを用いることができる。カウンタにある値をセットすると、セットした数のクロックパルスをカウントして、ＣＰＵ２１に割り込みをかけることによって、一定の時間を計測することができる。
【００３８】
表示部２６は、ＣＲＴ（Cathode Ray Tube）、ＬＣＤ（Liquid Crystal Display）又はＬＥＤ（Light Emission Diode）などから構成され、子機１を指定する子機指定モードか、レピータ２を指定して呼び出すレピータ指定モードかの呼び出しモード、送信相手先の無線通信装置１又はレピータ２の状況、及び無線通信装置１のその他の情報を表示する。
【００３９】
操作部２７は、無線通信装置１の動作についての条件情報を入力するための入力手段にあたる。操作部２７には各種の操作キーが設けられている。すなわち、ユーザが、無線通信装置１の操作部２７の操作キーを操作して動作条件を入力することにより、その入力に基づく動作を無線通信装置１に行わせることができる。
【００４０】
操作部２７に対する操作の内容は、コントローラ２０により検出される。すなわち、コントローラ２０は、操作された操作キーの種類や、操作キーに対する操作の内容を検出する。そして、操作キーによって入力された内容を判別する。そして、コントローラ２０は、操作部２７により入力された内容に応じた動作を行うように、無線通信装置１を制御する。
【００４１】
なお、操作キーの操作の内容によっては、その操作によって入力された内容が表示部２６に表示される。例えば、操作部２７により、呼び出しを起動するレピータ２を選択する呼び出しレピータ選択が設定された場合、呼び出しを起動するレピータ２のリストが表示部２６に表示される。また、呼び出しを起動したレピータ２の状況を表示する。さらに、表示部２６には、ユーザに対する無線通信装置１の動作状態の報知や、ユーザに対する操作部２７による入力を促すメッセージ等が表示される。
【００４２】
無線通信装置１が、送信機として機能する場合のブロックについて説明する。無線通信装置１のユーザによる通話音はマイク１５により音声信号に変換され、この音声信号はＡ／Ｄ変換部１４に入力される。Ａ／Ｄ変換部１４に入力された音声信号は、増幅器により増幅された後、音声Ａ／Ｄ変換によりディジタル信号に変換される。ディジタル変換された信号はベースバンド処理部１３に入力される。ベースバンド処理部１３では、ディジタルデータにプリアンブル、フレーム同期信号（ＦＳ）及び制御情報（ＣＣＨ）などを付加して送信フレームに組み立てて、送信部１２に出力する。
【００４３】
送信部１２は、入力された信号を変調する変調機能を備える。この無線通信装置１の例では、送信部１２が信号を変調する方式として、ＧＭＳＫ（Gaussian filtered Minimum Shift Keying）、ＰＳＫ（Phase Shift Keying）、ＱＡＭ（Quadrature Amplitude Modulation）又はＦＳＫ（Frequency Shift Keying）などが用いられる。送信部１２は、入力された音声信号及びデータ信号を、これらの変調方式により変調する処理を行う。
【００４４】
送信部１２は、前記変調する処理を行った信号を、送受信切換部１１に出力する。送受信切換部１１は、無線通信装置１が送信機として機能する場合、送信部１２より入力された信号をアンテナ１０に導く回路が形成される。そして、送受信切換部１１に入力された信号は、アンテナ１０に出力され、アンテナ１０より無線通信装置１の相手方となるレピータ２の受信機へ送信される。
【００４５】
ベースバンド処理部１３は、通信プロトコルを実行するために、種々の制御信号を組み立てる。ベースバンド処理部１３の動作や送信部１２の送信の開始、終了、周波数の選択などは、コントローラ２０の制御によって行われる。プリアンブルとＳＷの長さ、ＲＩ、ＳＡＣＣＨ及びＰＩＣＨの内容の設定は、コントローラ２０の制御によって行われる。
【００４６】
ベースバンド処理部１３及びコントローラ２０によって、レピータ指定手段が実現されている。また、ベースバンド処理部１３、送信部１２及びコントローラ２０によって、呼び出し指令手段が実現されている。
【００４７】
次に、無線通信装置１が受信機として機能する場合のブロックについて説明する。受信機としての無線通信装置１には、レピータ２の送信機より呼び出し信号、通話音の音声信号又はデータ通信用のデータ信号が送信される。無線通信装置１に送信される信号は、通信フレームを構成している。
【００４８】
アンテナ１０は、無線通信装置１に送信された無線信号を受信する。アンテナ１０が受信した無線信号は、送受信切換部１１を経由して受信部１６に入力される。送受信切換部１１は、無線通信装置１が受信機として機能する場合、アンテナ１０が受信した信号を受信部１６に導く回路が形成される。
【００４９】
受信部１６は、特定の周波数の電波を選択して受信するチューニング機能を備えている。受信部１６には、受信する無線信号の周波数帯域がコントローラ２０によって設定される。そして、受信部１６に設定された周波数のチャンネルの受信信号がアンテナ１０より送受信切換部１１を通って受信部１６に入力される。
【００５０】
受信部１６で受信した信号は、ベースバンド処理部１７に入力され、ベースバンド処理部１７で各情報が抽出されてコントローラ２０に伝えられる。呼び出し信号の中のＰＩＣＨに、その無線通信装置１の識別符号（ＩＤ）が着ＩＤとして抽出された場合は、コントローラ２０は通信を開始する。
【００５１】
図３は、本発明の一実施の形態に係るレピータ２の構成を示すブロック図である。図３に示すレピータ２は、送信機能と受信機能を備える。受信機能は無線通信装置１がアップリンクで送信した信号を受信する。送信機能は、受信機で受信した信号又は、ネットワークＮから受信した信号をダウンリンクで送信する。レピータ２の構成のうち、無線通信装置１と同等の機能の部分は同じ符号をつける。
【００５２】
レピータ２は、図３に示すように送信機能を実現するために、アンテナ１０Ｓと、送信部１２と、ベースバンド処理部１３と、入力部４とを備えている。レピータ２はまた、受信機能を実現するために、アンテナ１０Ｒと、受信部１６と、ベースバンド処理部１７と、出力部５とを備えている。さらに、受信した信号をネットワークＮを経由して他のレピータ２に送信したり、他のレピータ２からネットワークを経由して信号を受信するネットワークインタフェース（以下、ネットワークＩ／Ｆ）６を備えている。
【００５３】
レピータ２は、各部の制御を行うコントローラ２０、通信モードなどを表示する表示部２６、及び通信モードなどの設定を入力する操作部２７を備える。
【００５４】
コントローラ２０は、レピータ２の動作の制御を行う。コントローラ２０は例えば、ＣＰＵ（中央処理装置）２１、Ｉ／Ｏ（入出力装置）２２、ＲＯＭ（読み出し専用メモリ）２４、ＲＡＭ（読み書き可能メモリ）２３、及びそれらを接続する内部バス（図示せず）を備えて構成される。
【００５５】
コントローラ２０には表示部２６、操作部２７がＩ／Ｏ２２を介して接続されている。図３の複雑化を避け、理解を容易にするために、コントローラ２０から各部への信号線が省略されているが、コントローラ２０は送信部１２、ベースバンド処理部１３、１７、受信部１６、入力部４、出力部５及びネットワークＩ／Ｆ６にＩ／Ｏ２２を介して接続しており、それらの処理の開始、終了、処理内容の制御を行う。
【００５６】
コントローラ２０がレピータ２の動作を制御するための制御プログラムは、ＲＯＭ２４に格納されている。そして、コントローラ２０は、アップリンクから受信した呼び出し起動信号に基づいて、呼び出し信号を送信部から送信したり、又はネットワークＮへ呼び出し起動信号を送信する制御を行う。また、コントローラ２０は、ネットワークＮから受信した呼び出し起動信号に応じて、呼び出し信号を送信部から送信するよう制御する。これらの制御のための情報は、ＲＡＭ２３に記憶される。
【００５７】
コントローラ２０のＲＡＭ２３には、レピータ２が送信する通信フレームを生成するためのデータが記憶される。例えば、ＲＡＭ２３は、通信フレームのヘッダ部を構成するためのデータである、プリアンブル、ＳＷ、ＲＩ、ＳＡＣＣＨ、及びＰＩＣＨなどの情報を記憶する。
【００５８】
表示部２６は、ＣＲＴ（Cathode Ray Tube）、ＬＣＤ（Liquid Crystal Display）又はＬＥＤ（Light Emission Diode）などから構成され、レピータ２が無線通信装置１又はネットワークＮと通信を行っている通信状況などの情報を表示する。
【００５９】
操作部２７は、レピータ２の動作についての条件情報を入力するための入力手段である。操作部２７には各種の操作キーが設けられている。すなわち、オペレータが、レピータ２の操作部２７の操作キーを操作して動作条件を入力することにより、その入力に基づく動作をレピータ２に行わせることができる。例えば、ネットワークＮと接続したオンライン動作モード、ネットワークＮと接続しないスタンドアロン動作モードなどを選択する。
【００６０】
レピータ２の受信機能及び送信機能のブロックについて説明する。
【００６１】
アンテナ１０Ｒは、レピータ２に送信された無線信号を受信する。アンテナ１０Ｒが受信した無線信号は、受信部１６に入力される。受信部１６は、特定の周波数の電波を選択して受信するチューニング機能を備えている。受信部１６には、受信する無線信号の周波数帯域がコントローラ２０によって設定される。
【００６２】
受信部１６で受信した信号は、ベースバンド処理部１７に入力され、ベースバンド処理部１７で各情報が抽出されてコントローラ２０に伝えられる。呼び出し起動信号を受信し、その中に、そのレピータ２の通信範囲に存在する可能性のある無線通信装置１のＩＤ、又はそのレピータ２のＩＤが着ＩＤとして含まれる場合は、コントローラ２０は、呼び出し信号の送信を開始する。
【００６３】
受信した信号を他のレピータ２に送信する場合は、出力部５及びネットワークＩ／Ｆ６を介して、ネットワークＮに送信する。
【００６４】
受信部１６で受信した信号を、そのレピータ２の通信範囲に無線送信する場合、ベースバンド処理部１７からベースバンド処理部１３にデータが送られる。ベースバンド処理部１３では、データにプリアンブル、ＳＷ、ＲＩなどを付加して送信フレームに組み立てて、送信部１２に出力する。
【００６５】
送信部１２は、入力された信号を変調する変調機能を備える。この無線通信装置１の例では、送信部１２が信号を変調する方式として、ＧＭＳＫ（Gaussian filtered Minimum Shift Keying）、ＰＳＫ（Phase Shift Keying）、ＱＡＭ（Quadrature Amplitude Modulation）又はＦＳＫ（Frequency Shift Keying）などが用いられる。送信部１２は、入力された音声信号及びデータ信号を、これらの変調方式により変調する処理を行う。
【００６６】
送信部１２は、前記変調する処理を行った信号を、アンテナ１０Ｓに出力し、アンテナ１０Ｓより無線通信装置１の受信機へ送信される。
【００６７】
ベースバンド処理部１３は、通信プロトコルを実行するために、種々の制御信号を組み立てる。ベースバンド処理部１３の動作や送信部１２の送信の開始、終了、周波数の選択などは、コントローラ２０の制御によって行われる。プリアンブルとＳＷの長さ、ＲＩ、ＳＡＣＣＨ及びＰＩＣＨの内容の設定は、コントローラ２０の制御によって行われる。
【００６８】
ベースバンド処理部１３、送信部１２及びコントローラ２０によって、一斉呼び出し手段が実現されている。
【００６９】
ネットワークＮからネットワークＩ／Ｆ６を介して受信した信号は、入力部４でデータが抽出されてコントローラ２０に送られる。ネットワークＮから受信した信号を、レピータ２の通信エリアに送信する場合、ネットワークＩ／Ｆ６で受信したデータは、入力部４からベースバンド処理部１３に送られる。ベースバンド処理部１３は送信信号に組み立てて、送信部１２から送信する。
【００７０】
ネットワークＮからネットワークＩ／Ｆ６を介して呼び出し起動信号を受信し、その中に、そのレピータ２の通信エリアに存在する可能性のある無線通信装置１のＩＤ、又はそのレピータ２のＩＤが着ＩＤとして含まれる場合は、コントローラ２０は、呼び出し信号の送信を開始する。
【００７１】
次に、図１に示す無線通信装置１及びレピータ２の動作を、図４乃至図６を参照して説明する。なお、上述のように、無線通信装置１の動作は、コントローラ２０のＣＰＵ２１が、Ｉ／Ｏ２２、ＲＡＭ２３、ＲＯＭ２４、計時部２５、表示部２６、及び操作部２７と協働して行う。また、レピータ２の動作は、コントローラ２０のＣＰＵ２１が、Ｉ／Ｏ２２、ＲＡＭ２３、ＲＯＭ２４、表示部２６、及び操作部２７と協働して行う。
【００７２】
例えば、図１に示すように、無線通信システム３０中に無線通信装置１Ａ〜１Ｆ及びレピータ２Ａ〜２Ｄが存在しているとする。無線通信装置１Ａ〜１Ｆはそれぞれ、図２に示す構成を備えている。レピータ２Ａ〜２Ｄはそれぞれ、図３に示す構成を備えている。
【００７３】
図４は、呼び出し起動信号の構成例を示す。図４（ａ）は呼び出し起動信号の構成、図４（ｂ）は、パラメータ情報チャネルＰＩＣＨの構成、図４（ｃ）は無線通信装置１を指定する場合の着ＩＤの構成、図４（ｄ）はレピータ２を指定する場合の着ＩＤの構成をそれぞれ表す。
【００７４】
図４（ａ）に示すように、呼び出し起動信号は、プリアンブルＰ、同期ワードＳＷ、無線情報チャネルＲＩ、低速付随制御チャネルＳＡＣＣＨ、パラメータ情報チャネルＰＩＣＨを含んで構成される。パラメータ情報チャネルＰＩＣＨは、図４（ｂ）に示すように、メッセージ種別、ユーザコード、システムＩＤ、着ＩＤ、発ＩＤから構成される。このうち着ＩＤに、呼び出される子機１又は呼び出しを起動するレピータ２の識別符号（ＩＤ）が書き込まれる。
【００７５】
子機１を指定して呼び出す場合は、着ＩＤは図４（ｃ）に示すように、例えば、４ビットずつのＢＣＤ（Binary Coded Decimal）４桁に分割される２オクテットのデータで子機１のＩＤ（十進数４桁）が表現される。
【００７６】
レピータ２を指定して、そのレピータ２の通信エリアに一斉呼び出しを行う場合は、着ＩＤに指定するレピータ２の識別符号（ＩＤ）が書き込まれる。レピータ２を指定する場合、例えば図４（ｄ）に示すように、着ＩＤの第１オクテットの上位４ビットに、レピータ２を指定することを表す符号Ａが書き込まれる。第１オクテットの下位４ビットと、第２オクテットに、レピータ２の番号を表す３桁の数字がＢＣＤで書き込まれる。
【００７７】
レピータ２の番号３桁の数は、例えば、０００〜８９９は個別のレピータ２を示し、９００〜９９９はレピータグループの番号を示すように決めることができる。個別のレピータ２とレピータグループの区別は別の方法によってもよい。例えば、第１オクテットの下位４ビットにグループを表す符号Ｇを記載して、レピータグループであることを表し、第２オクテットのＢＣＤ２桁でレピータグループ番号を示してもよい。
【００７８】
従来の呼び出す子機１を指定する着ＩＤを、呼び出し起動に指定するレピータ２のＩＤを書き込む領域に用いるので、従来の無線通信システムの通信フレームをそのまま用いることができる。そのため、レピータ２を指定する本実施の形態は、従来の通信システム３０にレピータ２を指定する機能を追加する構成で実現できる。また、従来の子機１及びレピータ２と混在して用いることも可能である。
【００７９】
図４はまた、呼び出し信号の構成例を示している。図４（ａ）の信号がレピータ２からダウンリンクで送信される場合は、呼び出し信号である。その場合、着ＩＤはレピータ２を示すことはない。呼び出し信号では、着ＩＤは子機１を示す。着ＩＤが特別の番号（例えば９９９９）の場合は、一斉呼び出しを表すように決めることができる。
【００８０】
子機１は、図４に示す呼び出し起動信号をレピータ２に送信することによって、呼び出しを起動する。レピータ２は、呼び出し信号をダウンリンクで送信して、子機１を呼び出す。また、レピータ２は、ネットワークＮを経由して呼び出し起動信号を他のレピータ２に送信する。呼び出し起動信号をネットワークＮを経由して受信したレピータ２は、その着ＩＤに、そのレピータ２の通信範囲に存在する可能性のある子機１のＩＤ、又はそのレピータ２のＩＤが含まれる場合は、呼び出し信号をダウンリンクで送信して、子機１を呼び出す。
【００８１】
図５は無線通信装置１Ａがレピータ２Ｃを指定して、呼び出しを行う手順を示すシーケンス図である。子機１がレピータ２Ａに対して、レピータ２Ｃを指定した呼び出し起動信号を送信する（ステップＡ１）。呼び出し起動信号を受信したレピータ２Ａは、呼び出し起動信号の着ＩＤにレピータ２ＣのＩＤを抽出すると、ネットワークＮを経由してサーバＳにレピータ２Ｃのネットワークアドレスを問い合わせる（ステップＡ２）。
【００８２】
サーバＳは、問い合わせに応答して、レピータ２Ｃのネットワークアドレスをレピータ２Ａに返す（ステップＡ３）。レピータ２Ｃのネットワークアドレスを受信したレピータ２Ａは、レピータ２Ｃに対して、レピータ２Ｃを指定した呼び出し起動信号を、ネットワークＮを経由して送信する（ステップＡ４）。
【００８３】
レピータ２Ｃは、ネットワークＮを経由して受信した呼び出し起動信号から、着ＩＤを抽出し、着ＩＤにレピータ２Ｃを表すＩＤが含まれるので、レピータ２Ｃの通信エリアに呼び出し信号を送信する（ステップＡ５）。この場合、着ＩＤは図４（ｄ）に示すように、レピータ２を表す符号なので、子機１は指定されていない。そこで、レピータ２Ｃは、全ての子機を呼び出す一斉呼び出しを行う。
【００８４】
なお、無線通信システム３０では子機１の位置登録などのために、レピータ２が報知情報を定期的に送信している場合がある。その場合、報知情報の送信と呼び出し信号送信のタイミングが重なったときは、報知情報を一定周期のタイミングで送信したのちに、呼び出し信号を送信する。
【００８５】
呼び出し信号を送信したのち、レピータ２Ｃはレピータ２Ａにレピータ空き状態を通知する（ステップＡ６）。ここでは、レピータ２Ｃが呼び出し信号を送信するときに、そのチャネルが使われていなかった場合を示す。レピータ２Ｃに空きチャネルがない場合は、通信中であることを示す信号をレピータ２Ａに返す。
【００８６】
レピータ空き状態の通知を受けたレピータ２Ａは、子機１Ａにアンサーバックを送信する（ステップＡ７）。そののちは、子機１Ａからレピータ２Ｃの通信エリア内の全ての子機を指定したグループ指定通信と同じように、子機１Ａと子機１Ｄ、１Ｅとの通信が行われる。
【００８７】
レピータ２Ａが、レピータ２Ｃを指定する呼び出し起動信号を受信したときに、レピータ２Ｃのネットワークアドレスを保持していた場合は（ステップＡ８）、サーバＳにレピータ２Ｃのネットワークアドレスを問い合わせることなく、レピータ２Ｃに呼び出し起動信号を送信する（ステップＡ９）。例えば、ネットワークＮがＬＡＮなどの場合、ネットワークアドレスは一定時間レピータ２で保持されるので、その間にレピータ指定呼び出し起動信号を受信した場合などが該当する。
【００８８】
また、ネットワークの構成によっては、各レピータ２が他のレピータ２のネットワークアドレスを常に保持し、サーバＳに問い合わせることなくレピータ２に呼び出し起動信号を送信してもよい。ただし、その場合はレピータ２が分散して多数配置されると、レピータ２の改廃に伴って全てのレピータ２のデータを書き換える必要があるので、レピータ２の追加変更に手間がかかることになる。
【００８９】
子機１は無線通信システム３０の中で移動するので、例えば、災害が発生した地点付近にいる子機１を特定することができない。従来はレピータエリアを指定して呼び出せないため、全ての通話エリアに対して、全ての子機を対象とする一斉呼び出しを行わなければならず、効率よく必要な通信を行うことができなかった。本発明の無線通信システム３０によれば、子機１からレピータ２を指定して、指定したレピータ２の通信エリア内の全ての子機を対象として、呼び出しを行うことができる。例えば、ビルの各階にレピータ２が設置されている場合、階ごとに呼び出しを行うことができる。その結果、無線通信システム３０の全通話エリアを占有することなく、効率的に通信を行うことができる。呼び出し起動に指定されていないレピータ２（通信チャネル）は、他の通信を行うことができる。
【００９０】
図６は、無線通信装置１Ａがレピータグループを指定して、呼び出しを行う手順を示すシーケンス図である。子機１Ａがレピータ２Ａに対して、レピータ２Ｃと２Ｄを含むレピータグループを指定した呼び出し起動信号を送信する（ステップＢ１）。呼び出し起動信号を受信したレピータ２Ａは、呼び出し起動信号の着ＩＤにレピータグループのＩＤを抽出すると、ネットワークＮを経由してサーバＳにレピータグループのネットワークアドレスを問い合わせる（ステップＢ２）。
【００９１】
サーバＳは、問い合わせに応答して、レピータグループに含まれるレピータ２Ｃ及び２Ｄのネットワークアドレスをレピータ２Ａに返す（ステップＢ３）。レピータ２Ｃ及び２Ｄのネットワークアドレスを受信したレピータ２Ａは、レピータ２Ｃと２Ｄに対して、レピータ２Ｃと２Ｄを含むレピータグループを指定した呼び出し起動信号を、ネットワークＮを経由して送信する（ステップＢ５）。
【００９２】
レピータ２Ｃ及び２Ｄのネットワークアドレスはそれぞれ個別のアドレスの場合と、ネットワークアドレスもレピータ２Ｃと２Ｄを含むグループのアドレスの場合がある。それぞれ個別のアドレスの場合は、レピータ２Ａはレピータ２Ｃと２Ｄにそれぞれ呼び出し起動信号を送信する。グループのアドレスの場合は、レピータ２Ａからの送信はそのグループに対して１回の送信でよい。
【００９３】
レピータグループを指定する呼び出しの場合は、複数のレピータからの空き状態通知が衝突することを防ぐために、指定されたグループ内のレピータからのレピータ空き状態通知は返さない。ステップＢ３で、レピータ２Ａは、サーバＳからレピータ２Ｃ及び２Ｄのネットワークアドレスを受け取ったのち、子機１Ａに対してアンサーバックを返す（ステップＢ４）。指定されたグループ内のレピータ２Ｃ、２Ｄからのレピータ空き状態通知が衝突しないような送出タイミングが設定されていれば、レピータ空き状態通知を受け取ったのちに子機１Ａに対してアンサーバックを返すようにしてもよい。レピータ２Ａは子機１Ａにアンサーバックを返したのちに、呼び出し起動信号を送出する（ステップＢ５）。
【００９４】
レピータ２Ｃ及び２Ｄは、ネットワークＮを経由して受信した呼び出し起動信号から、着ＩＤを抽出し、着ＩＤにレピータ２Ｃ及び２Ｄを含むレピータグループを表すＩＤが含まれるので、それぞれの通信エリアに呼び出し信号を送信する（ステップＢ６、Ｂ７）。この場合、着ＩＤは図４（ｄ）に示すように、レピータ２を表す符号なので、子機１は指定されていない。そこで、レピータ２Ｃ及び２Ｄは、全ての子機を呼び出す一斉呼び出しを行う。
【００９５】
レピータ２Ａが、レピータグループを指定する呼び出し起動信号を受信したときに、レピータグループのネットワークアドレスを保持していた場合は（ステップＢ８）、サーバＳにレピータ２Ｃのネットワークアドレスを問い合わせることなく、レピータ２Ｃ及び２Ｄに呼び出し起動信号を送信する（ステップＢ９）。例えば、ネットワークＮがＬＡＮなどの場合、ネットワークアドレスは一定時間レピータ２で保持されるので、その間にレピータ指定呼び出し起動信号を受信した場合などが該当する。
【００９６】
また、ネットワークの構成によっては、各レピータ２が他のレピータグループのネットワークアドレスを常に保持し、サーバＳに問い合わせることなくレピータグループに呼び出し起動信号を送信してもよい。ただし、その場合はレピータグループの構成を変更するたびに、全てのレピータ２のデータを書き換える必要があるので、レピータグループ構成の変更に手間がかかることになる。サーバＳにレピータ２又はレピータグループのネットワークアドレスを問い合わせる方法では、サーバＳのデータを変更するだけで済むので、レピータグループの構成を変更しやすい。
【００９７】
図７は、レピータ２とレピータグループの構成を表示する例を示す。レピータ２とレピータグループの構成を図７のような表形式で、サーバＳの表示装置に表示させて、グループの構成を見やすく、また画面を見ながら操作してグループ構成を変更できるように構成することができる。
【００９８】
例えば、レピータグループ０には、ＩＤが５と１２のレピータ２が含まれる。また、レピータグループ８には、ＩＤが２、７及び９２のレピータ２が含まれる。レピータ２のＩＤとレピータグループ番号の交点の欄に印（図７では丸印）を付けたり消去することによって、そのグループに属すレピータ２を追加、削除することができる。なお、図７のコメント欄は、レピータ２の場所などの情報を記載して、グループ構成の設定の便宜を図っている。
【００９９】
なお、レピータ２のそれぞれに対応して、ネットワークアドレスがサーバＳに格納される。また、レピータグループを表す、ネットワークアドレスがサーバＳに格納されてもよい。
【０１００】
その他、前記のハードウエア構成やシーケンス図は一例であり、任意に変更及び修正が可能である。
【０１０１】
ＣＰＵ２１、Ｉ／Ｏ２２、ＲＡＭ２３、ＲＯＭ２４などから構成される無線通信装置１のコントローラ２０又はレピータ２のコントローラ２０は、専用のシステムによらず、通常のコンピュータシステムを用いて実現可能である。たとえば、前記の動作を実行するためのコンピュータプログラムを、コンピュータが読みとり可能な記録媒体（フレキシブルディスク、ＣＤ−ＲＯＭ、ＤＶＤ−ＲＯＭ等）に格納して配布し、当該コンピュータプログラムをコンピュータにインストールすることにより、前記の処理を実行する無線通信装置１又はレピータ２を構成してもよい。また、インターネット等の通信ネットワーク上のサーバ装置が有する記憶装置に当該コンピュータプログラムを格納しておき、通常のコンピュータシステムがダウンロード等することで無線通信装置１又はレピータ２を構成してもよい。
【０１０２】
また、無線通信装置１又はレピータ２の機能を、ＯＳ（オペレーティングシステム）とアプリケーションプログラムの分担、またはＯＳとアプリケーションプログラムとの協働により実現する場合などには、アプリケーションプログラム部分のみを記録媒体や記憶装置に格納してもよい。
【０１０３】
また、搬送波にコンピュータプログラムを重畳し、通信ネットワークを介して配信することも可能である。たとえば、通信ネットワーク上の掲示板(BBS, Bulletin Board System)に前記コンピュータプログラムを掲示し、ネットワークを介して前記コンピュータプログラムを配信してもよい。そして、このコンピュータプログラムを起動し、ＯＳの制御下で、他のアプリケーションプログラムと同様に実行することにより、前記の処理を実行できるように構成してもよい。
【図面の簡単な説明】
【０１０４】
【図１】本発明の一実施の形態である無線通信システムの構成図である。
【図２】本発明の一実施の形態である無線通信装置のブロック図である。
【図３】本発明の一実施の形態であるレピータのブロック図である。
【図４】本発明の一実施の形態における通信を開始する通信フレームの構成の例を示す図である。
【図５】本発明の一実施の形態におけるレピータを指定して呼び出しを行う通信の手順を示すシーケンス図である。
【図６】本発明の一実施の形態におけるレピータのグループを指定して呼び出しを行う通信の手順を示すシーケンス図である。
【図７】レピータとレピータグループの構成を表示する例を示す図である。
【符号の説明】
【０１０５】
１、１Ａ、１Ｂ、１Ｃ、１Ｄ、１Ｅ、１Ｆ  無線通信装置
２、２Ａ、２Ｂ、２Ｃ、２Ｄ  レピータ
４  入力部
５  出力部
６  ネットワークインタフェース
１２  送信部
１３  ベースバンド処理部
１６  受信部
１７  ベースバンド処理部
２０  コントローラ
２１  ＣＰＵ
２２  Ｉ／Ｏ
２３  ＲＡＭ
２４  ＲＯＭ
２５  計時部
２７  操作部
３０  無線通信システム
【図１】
2007295135.tif 000003
【図２】
2007295135.tif 000004
【図３】
2007295135.tif 000005
【図４】
2007295135.tif 000006
【図５】
2007295135.tif 000007
【図６】
2007295135.tif 000008
【図７】
2007295135.tif 000009